(57)【要約】【課題】装置内部を冷却しつつ、安定して商品の計量をすることができる計量装置を提供する。【解決手段】吸気ファン７１および排気ファン７５を設けることにより、吸気ファン７１から排気ファン７５に流れる冷却外気の外気流通路５５を形成し、ＣＰＵ４１、グラフィックチップ４５、モータ３５および電源部６０の素子６１等の発熱体を外気流通路５５の付近に配置する。一方、ロードセル１１を外気流通路５５の上方に配置して、ロードセル１１を外気流通路５５から隔離する。これにより、発熱体からの熱や冷却外気によって影響を受けることなく、ロードセル１１上の温度分布を略同一に保持することができる。そのため、商品の重量値を繰り返し再現性良く計量することができる。【選択図】図３
2005241429.tif 000002
【特許請求の範囲】
【請求項１】
計量装置であって、
(a)  装置内部に配設されており、商品の重量を計量する計量部と、
(b)  前記装置内部に冷却外気を導入する吸気部と、
(c)  前記装置内部に配設された発熱体からの熱を装置外部に排気する排気部と、
を備え、
前記装置内部には、前記吸気部から前記排気部に向けて流れる前記冷却外気の流通路が形成されており、
前記発熱体は前記流通路付近に配設され、前記計量部は前記流通路から隔離されて配設されることを特徴とする計量装置。
【請求項２】
請求項１に記載の計量装置において、前記装置内部の空間のうち前記発熱体の配設される付近には、前記冷却外気を案内する案内部が設けられていることを特徴とする計量装置。
【請求項３】
請求項１または請求項２に記載の計量装置において、
前記計量部は、前記流通路の上方に配設されることを特徴とする計量装置。
【請求項４】
請求項１ないし請求項３のいずれかに記載の計量装置において、
前記計量部は、カバーによって覆われていることを特徴とする計量装置。
【請求項５】
請求項１ないし請求項４のいずれかに記載の計量装置において、
前記吸気部によって前記装置内部に導入される吸気量は、前記排気部から前記装置外部に排気される排気量より大きいことを特徴とする計量装置。
【請求項６】
請求項５に記載の計量装置において、
前記計量部付近に設けられ、前記装置外部と連通する開口部、
をさらに備えることを特徴とする計量装置。
【請求項７】
請求項１ないし請求項６のいずれかに記載の計量装置において、
前記吸気部から導入される外気は、吸気口と前記装置の筐体部に設けられた筐体部流路とを経由して前記装置内部に導入されることを特徴とする計量装置。
【請求項８】
請求項７に記載の計量装置において、
前記吸気口は、前記装置の底部に設けられていることを特徴とする計量装置。
【請求項９】
請求項１ないし請求項６のいずれかに記載の計量装置において、
前記吸気部はフィルタを有し、前記装置外部の外気は前記フィルタを介して前記装置内部に導入されることを特徴とする計量装置。
【請求項１０】
請求項１ないし請求項９のいずれかに記載の計量装置において、
前記吸気口はフィルタを有し、前記装置外部の外気は前記フィルタを介して前記装置内部に導入されることを特徴とする計量装置。
【発明の詳細な説明】
【技術分野】
【０００１】
本発明は、商品の重量を計量する計量装置に関するものであって、特に、装置内部の冷却に関する
【背景技術】
【０００２】
計量装置において、商品の重量は、例えばアルミによって形成された起歪体に貼り付けた歪みゲージから出力される電気量の変化（すなわち、歪みゲージの抵抗値の変化）を計測し、その電気量（抵抗値）を重量値に変換することによって求められる。そして、計量装置の制御部では、求められた重量値を利用した種々の処理（例えば、重量値をラベルに印字する処理）が実行される。
【０００３】
ここで、計量装置の内部には、種々の演算処理を実行する制御部や計量装置自体の稼動に必要となる電源を供給する電源部等が配設される。しかし、制御部や電源部等の電気部品が稼動すると、当該電気部品からは熱が発生して装置内部の温度上昇につながる。すなわち、稼動によって発熱体となる電気部品からの熱の影響により装置内部の温度が上昇する。
【０００４】
そのため、この温度上昇による影響を大きく受ける歪みゲージでは、出力される電気量（抵抗値）が変化し、その結果、計量される商品の重量が変化して安定して商品の重量を計測することができないといって問題が生ずる。
【０００５】
そこで、従来より計量装置の内部を冷却する方法として種々のものが提案されている（例えば、特許文献１、２）。
【０００６】
【特許文献１】特開平０５−２４０６９６号公報
【特許文献２】特開平０８−１５３２７１号公報
【発明の開示】
【発明が解決しようとする課題】
【０００７】
しかし、特許文献１、２による計量装置内部の冷却方法では、発熱体からの熱だけでなく、起歪体に貼り付けた歪みゲージも冷却することになる。そのため、歪みゲージでは冷却による温度変化の影響を受けることとなり、依然として商品の重量を安定して計測することができないという問題が生ずる。
【０００８】
そして、このことは、歪みゲージも使用した商品の重量に限定されず、温度変化の影響により安定して重量の計測をすることができない他の計量方法（例えば、電磁力平衡方式）でも同様な問題が発生する。
【０００９】
そこで、本発明では、装置内部を冷却しつつ、安定して商品の計量をすることができる計量装置を提供することを目的とする。
【課題を解決するための手段】
【００１０】
上記課題を解決するため、請求項１の発明は、計量装置であって、装置内部に配設されており、商品の重量を計量する計量部と、前記装置内部に冷却外気を導入する吸気部と、前記装置内部に配設された発熱体からの熱を装置外部に排気する排気部とを備え、前記装置内部には、前記吸気部から前記排気部に向けて流れる前記冷却外気の流通路が形成されており、前記発熱体は前記流通路付近に配設され、前記計量部は前記流通路から隔離されて配設されることを特徴とする。
【００１１】
また、請求項２の発明は、請求項１の発明に係る計量装置において、前記装置内部の空間のうち前記発熱体の配設される付近には、前記冷却外気を案内する案内部が設けられていることを特徴とする。
【００１２】
また、請求項３の発明は、請求項１または請求項２の発明に係る計量装置において、前記計量部は、前記流通路の上方に配設されることを特徴とする。
【００１３】
また、請求項４の発明は、請求項１ないし請求項３のいずれかの発明に係る計量装置において、前記計量部は、カバーによって覆われていることを特徴とする。
【００１４】
また、請求項５の発明は、請求項１ないし請求項４のいずれかの発明に係る計量装置において、前記吸気部によって前記装置内部に導入される吸気量は、前記排気部から前記装置外部に排気される排気量より大きいことを特徴とする。
【００１５】
また、請求項６の発明は、請求項５の発明に係る計量装置において、前記計量部付近に設けられ、前記装置外部と連通する開口部、をさらに備えることを特徴とする。
【００１６】
また、請求項７の発明は、請求項１ないし請求項６のいずれかの発明に係る計量装置において、前記吸気部から導入される外気は、吸気口と前記装置の筐体部に設けられた筐体部流路とを経由して前記装置内部に導入されることを特徴とする。
【００１７】
また、請求項８の発明は、請求項７の発明に係る計量装置において、前記吸気口は、前記装置の底部に設けられていることを特徴とする計量装置。
【００１８】
また、請求項９の発明は、請求項１ないし請求項６のいずれかの発明に係る計量装置において、前記吸気部はフィルタを有し、前記装置外部の外気は前記フィルタを介して前記装置内部に導入されることを特徴とする。
【００１９】
また、請求項１０の発明は、請求項１ないし請求項９のいずれかの発明に係る計量装置において、前記吸気口はフィルタを有し、前記装置外部の外気は前記フィルタを介して前記装置内部に導入されることを特徴とする。
【発明の効果】
【００２０】
請求項１から請求項１０に記載の発明によれば、発熱体は流通路付近に配設されており、この発熱体からの熱は、冷却外気の流れとともに排気部から装置外部に排気される。また、計量部は流通路から隔離されており、計量部が流通路を流れる冷却外気と直接触れることを抑制できる。
【００２１】
これにより、計量部は、発熱体からの熱の影響によって局部的に熱せられることがなく、また、冷却外気の流れによって局部的に冷却されることがない。そのため、装置内部の温度上昇を抑制しつつ、計量部上の各部分における温度分布を均一に保持することができ、商品の重量を繰り返し再現性良くの計量することができる。
【００２２】
特に、請求項２に記載の発明によれば、冷却外気を発熱体付近に案内することにより、発熱体からの熱を効率的に装置外部に排気しつつ、計量部に直接冷却外気が触れることをさらに抑制できる。そのため、さらに装置内部の温度上昇を抑制しつつ、計量部上の各部分の温度分布を均一にすることができ、さらに良好に商品の重量の計量を行うことができる。
【００２３】
特に、請求項３に記載の発明によれば、計量部は流通路の上方に配設され、流通路を流れる冷却外気と計量部とが直接触れることを抑制できる。そのため、良好に商品の重量の計量を行うことができる。
【００２４】
特に、請求項４に記載の発明によれば、計量部はカバーによって覆われており、計量装置外部の外気が計量部に進入することを防止できる。そのため、良好に商品の重量の計量を行うことができる。
【００２５】
特に、請求項５に記載の発明によれば、装置内部への吸気量の方が装置外部への排気量より大きくなり、装置内部が大気圧と比較して正圧（陽圧）となる。これにより、装置外部と内部とを連通する穴（隙間）から装置外部に向けて装置内部の雰囲気が排気されることがあっても、当該穴から装置内部に向けて外気が導入されることがない。
【００２６】
そのため、当該外気によって計量部が局部的に冷却されることがなく、計量部上の各部分における温度分布をさらに均一に保持することができ、その結果、商品の重量の計量をさらに繰り返し再現性良く行うことができる。
【００２７】
特に、請求項６に記載の発明によれば、装置内部が大気圧と比較して正圧（陽圧）となる。これにより、計量部付近に暖気が滞留した場合であっても、開口部を通じて外部に当該暖気を排気することができる。そのため、計量部上の各部分における温度分布をさらに均一に保持することができ、商品の重量をさらに良好に計量することができる。
【００２８】
特に、請求項７に記載の発明によれば、吸気口から装置内部に至るまでの距離を筐体部流路によって確保することができ、吸気口と装置内部とを筐体部流路によって分離することができる。そのため、計量装置付近に存在するチリ、ホコリ、および油煙（オイルミスト）等が装置内部に進入することを防止できる。
【００２９】
特に、請求項８に記載の発明によれば、吸気口を装置底部に設けることにより、吸気口にチリ、ホコリ、および計量対象である商品に起因した汚れ等が付着することを抑制できる。そのため、吸気口に付着したチリ、ホコリ、および汚れが装置内部に流入することを防止でき、装置内部を清浄に保つことができる。
【００３０】
また、吸気口と装置内部とを筐体部流路によって分離することができるため、装置内部の配置の自由度が向上し、装置内部の空間を効率的に利用した設計をすることができる。
【００３１】
特に、請求項９および請求項１０に記載の発明によれば、外気はフィルタを介して装置内部に導入されるため、装置内部に外気とともにチリやホコリが流入することを防止でき、装置内部を清浄に保つことができる。
【発明を実施するための最良の形態】
【００３２】
以下、図面を参照しつつ本発明の実施の形態について詳細に説明する。
【００３３】
＜１．計量装置の全体構成＞
図１は、本発明の実施の形態に係る計量装置１を店員側からみた斜視図である。図２は、計量装置１を客側から見た斜視図である。図３は、計量装置１の内部の上面図である。図４は、図３の計量装置１の内部をＶ−Ｖ線から見た断面図である。なお、図３は、説明の都合上、計量装置１の筐体５０のうち上面板５０ｅを取外した状態で示す。
【００３４】
計量装置１は、スーパー、百貨店などの食料品売り場や専門店での対面販売などで使用される対面販売用ハカリであり、従来の計量ユニットとＰＯＳレジスターの２台を１台に集約したものである。図１および図２に示すように、計量装置１は、主として、食料品売り場や専門店の店員（以下、単に、「店員」と呼ぶ）からの操作を受け付ける操作パネル２０と、客側に配置されており、商品情報を等のメッセージを表示する客側ディスプレイ２５と、計量された商品の重量値等の商品情報が印字されたラベルを発行するラベル発行部３０と、商品の重量を計量する計量ユニット１０と、を備える。
【００３５】
操作パネル２０は、食料品売場等の店員側に配置されており、図１に示すように、入力キー２１および店員側ディスプレイ２２によって構成される。ここで、店員側ディスプレイ２２は、いわゆるコンピュータのディスプレイとしての機能とタッチパネルとしての機能を有する液晶表示部である。後述する制御部４０のグラフィックチップ４５（図５参照）からの画像信号に基づいて、店員側ディスプレイ２２には所定の文字列およびコマンドボタン等の図形が表示される。
【００３６】
そして、店員は、店員側ディスプレイ２２に表示された内容を確認しつつ、必要なデータおよびコマンドを入力キー２１やタッチパネルとしての店員側ディスプレイ２２を介して計量装置１に入力することができる。
【００３７】
客側ディスプレイ２５は、食料品売場等の客側に配置されており、図２に示すように、主として、メッセージ表示部２５ａと商品情報表示部２５ｂとを備える。メッセージ表示部２５ａには、商品の売り出し情報のようなお客様の次回の来店につなげる販促メッセージやお客様にお勧め商品に関する情報が表示される。これにより、アピール効果を高めるなど対面販売をより強力にサポートすることができる。また、商品情報表示部２５ｂは、図２に示すように、計量中の商品の重量、単価、商品価格を表示する。
【００３８】
ラベル発行部３０は、計量ユニット１０にて計量された商品の重量、商品の加工日、販売店等の商品情報をラベルに印字する。図１および図３に示すように、ラベル発行部３０は、計量装置１の内部空間５１であって操作パネル２０側から見て向かって右側に配置される。
【００３９】
ここで、モータ３５は、ラベル発行部３０の構成要素の１つであり、商品情報が印字されたラベルをラベル発行口３１から計量装置１の外部に搬送する駆動部として使用される。そして、ラベル発行処理の際にモータ３５から発生する熱は、後述する吸気ファン７１によって計量装置１外部から計量装置１の内部空間５１に供給される外気によって冷却される。
【００４０】
計量ユニット１０は、図１から図４に示すように、主としてロードセル１１と、取付部材１２と、計量皿１５と、皿受け部１７とを備え、計量皿１５に載置される商品の重量を計量する。なお、図２には、計量装置１による計量例としてトレー５に載せられた商品７の重量を計量する様子を示している。
【００４１】
図４に示すように、計量皿１５は、皿受け部１７の支持部１７ａによって支持される。また、皿受け部１７の支柱部１７ｂは略円柱形状を有し、計量装置１の筐体５０を構成する上面板５０ｅに設けらた開口部１８に挿入される。ここで、当該支柱部１７ｂの下部はロードセル１１と接続される。また、開口部１８は、筐体５０の上面板５０ｅに設けられた略円形状を有する穴部であり、ロードセル１１の配置される空間５３は、開口部１８を介して計量装置１の外側の空間と連通する。さらに、開口部１８の直径は、支柱部１７ｂの横断面（すなわちＸＹ平面と略平行な断面）の直径と比較して大きくなるように設定されている。
【００４２】
ロードセル１１は、商品の重量を、当該商品の重量に応じた電気量（電気抵抗値）に変換する計量部であり、主として、本体部１１ｃと歪みゲージ１１ｄとを備える。本体部１１ｃは、例えばアルミ系合金によって形成された略直方体状の起歪体である。本体部１１ｃの一方の端部１１ａは取付部材１２に固定され、他方の端部１１ｂは皿受け部１７の支柱部１７ｂと接続される。また、端部１１ａ付近にはその伸び縮み量に応じて出力される電気量が変動する歪みゲージ１１ｄが貼付される。
【００４３】
これにより、計量皿１５に商品が載置されると計量皿１５および皿受け部１７に下向きの力が付与されて本体部１１ｃが撓むと、本体部１１ｃに貼付された歪みゲージ１１ｄが伸び縮みして歪みゲージ１１ｄの電気抵抗値の変動し、その結果、歪みゲージ１１ｄからの電気量が変動する。そして、当該電気量（アナログ信号）をＡ／Ｄコンバータ４４（図５参照）にてデジタル信号にし、制御部４０においてデジタル信号について所定の演算処理を施すことにより、商品の重量を求める。
【００４４】
取付部材１２は、図４に示すように、略コの字形状の縦断面（すなわちＺＹ平面と略平行な断面）を有する部材であり、ロードセル１１の下部および側面を覆うように制御基板４８の上方に配置される。また、ロードセル１１の上方は、図４に示すように、筐体５０の上面板５０ｅによって覆われる。したがって、ロードセル１１の配置される空間５３は、計量装置１の内部空間５１と隔離される。また、上述のように、ロードセル１１の上方は筐体５０の上面板５０ｅによって覆われる。すなわち、上面板５０ｅは、計量装置１の外部の外気がロードセル１１の配置される空間５３に進入することを抑制するカバーの役割を果たす。そのため、ロードセル１１上の温度分布を均一にすることができ、商品の重量を良好に計量することができる。
【００４５】
ただし、ロードセル１１の配置される空間５３と内部空間５１とは、取付部材１２と上面板５０ｅとの間の隙間５３ａを介して連通しており、両空間５１、５３の間で雰囲気の移動が可能である。そのため、内部空間５１の圧力とロードセル１１の配置される空間５３の圧力とは略同一となる。
【００４６】
＜２．装置内部の構成＞
ここでは、主として、計量装置１内部の構成について説明する。図３および図４に示すように、計量装置１の内部空間５１には、主として、歪みゲージ１１ｄから出力される電気量に基づき商品の重量を計量するロードセル１１と、商品情報を印字するラベル発行部３０と、計量装置１外部の外気を内部空間５１に導入する吸気ファン７１と、内部空間５１の雰囲気を計量装置１外部に排気する排気ファン７５と、ラベル発行部３０、制御部４０、吸気ファン７１および排気ファン７５等に電源を供給する電源部６０と、が配置される。なお、ロードセル１１とラベル発行部３０とについてはすでに説明済みであるため、その他の要素について説明する。
【００４７】
図５は、制御部４０の概略構成を示す機能ブロック図である。制御部４０は、いわゆるコンピュータによって構成されており、主として、（１）演算処理部であるＣＰＵ４１と、（２）読出し専用メモリーであるＲＯＭ４２と、（３）読み書き自在のメモリーであるＲＡＭ４３と、（４）ロードセル１１の歪みゲージ１１ｄ（図３参照）から出力され、信号線４９ｃを経由して入力されるの電気量（アナログ値）をデジタル値に変換するＡ／Ｄコンバータ４４と、（５）店員側ディスプレイ２２の表示制御を行うために使用される画像信号を生成するグラフィックチップ４５と、（６）制御用ソフトウェアやデータなどを記憶しておく大容量記憶部（例えば、ハードディスクドライブやシリコンディスクドライブ）４６とを備える。
【００４８】
また、図５に示すように、ＣＰＵ４１および大容量記憶部４６等とはバスライン４９ａを介して電気的に接続されている。また、制御部４０のバスライン４９ａには、客側ディスプレイ２５（図２参照）、操作パネル２０の入力キー２１（図１参照）、ラベルのラベル発行部３０（図３参照）が接続されており、これらは全て制御部４０の制御下にて動作することとなる。
【００４９】
さらに、店員側ディスプレイ２２は、信号線４９ｂを経由してグラフィックチップ４５と接続されている。したがって、店員側ディスプレイ２２は、グラフィックチップ４５からの画像信号に基づいて動作することになる。
【００５０】
なお、図３および図４には、説明の都合上、制御部４０の構成要素のうち、ＣＰＵ４１およびグラフィックチップ４５のみを図示している。すなわち、ＣＰＵ４１およびグラフィックチップ４５は、それぞれ内部空間５１に配置された制御基板４８上に取り付けられる。
【００５１】
ところで、ＣＰＵ４１が演算処理を行う際、およびグラフィックチップ４５が店員側ディスプレイ２２に送信する画像信号を生成する際には、ＣＰＵ４１およびグラフィックチップ４５のそれぞれからは熱が発生する。そして、ＣＰＵ４１およびグラフィックチップ４５のそれぞれは、自らが出す熱が原因で正常に動作せず熱暴走する場合がある。そのため、ＣＰＵ４１およびグラフィックチップ４５のそれぞれ上面側には、発生した熱をこれら素子４１、４５から逃がすことを目的として、ヒートシンク４１ａ、４５ａが取り付けられている。その結果、素子４１、４５から発生した熱は、それぞれヒートシンク４１ａ、４５ａ付近の雰囲気（すなわち、内部空間５１）に放射されることとなり、当該素子４１、４５が熱暴走することを防止できる。
【００５２】
吸気ファン７１は、計量装置１外部の外気を内部空間５１に向けて強制的に導入する要素である。図３および図４に示すように、吸気ファン７１は、制御部４０のＣＰＵ４１と対向するように筐体５０の仕切板５０ｃに取り付けられており、内部空間５１と仕切空間５２とを連通するように設けられる。
【００５３】
ここで、仕切空間５２は、操作パネル２０側の前面板５０ｂと、前面板５０ｂを挟んで操作パネル２０と逆側に設けられた仕切板５０ｃと、上面板５０ｅとによって囲まれる空間である。また、仕切空間５２の下部（すなわち計量装置１の底部）の開口部７３には、計量装置１外部から導入される外気に含まれるチリやホコリを除去するフィルタ７２が設けられている。
【００５４】
また、図３および図４に示すように、ＣＰＵ４１およびグラフィックチップ４５の付近には、ＣＰＵ４１、グラフィックチップ４５およびモータ３５のそれぞれからの熱が放射される部分に、吸気ファン７１によって供給される外気を案内するための略筒状のガイド部材５４が設けられている。
【００５５】
これにより、吸気ファン７１を動作させると、計量装置１底部の吸気口７３付近の外気は、フィルタ７２および仕切空間５２を経由して内部空間５１に導入される。そして、導入された外気は、略筒形状のガイド部材５４の内側にガイドされ、ヒートシンク４１ａ、４５ａ、およびモータ３５等のように動作にともなって熱を発生する発熱体に直接当り、これら発熱体を冷却することができる。すなわち、吸気ファン７１によって導入される外気は、発熱体を冷却する冷却外気として使用される。
【００５６】
このように、仕切空間５２は、本実施の形態において筐体５０に設けられた外気の流路、すなわち筐体部流路として使用される。また、本実施の形態において、吸気口７３、フィルタ７２、仕切空間（筐体部流路）５２、吸気ファン７１は、計量装置１外部の冷却外気を計量装置１の内部空間５１に導入する吸気部として使用される。
【００５７】
また、上述のように外気の吸気口７３は計量装置１の底部に設けられている。これにより、チリ、ホコリ、および計測対象である商品に起因した汚れが吸気口７３およびフィルタ７２に付着することを抑制できる。そのため、チリ、ホコリ、および汚れ等が計量装置１の内部空間５１に流入することを抑制することができ、内部空間５１を清浄に保つことができる。また、フィルタ７２によってこれらチリ、ホコリ、および汚れ等を除去することができるため、内部空間５１をさらに清浄に保つことができる。
【００５８】
さらに、吸気口７３と吸気ファン７１とは筐体部流路５２を挟んで分離して設けられている。すなわち、吸気口７３と内部空間５１とは分離されており、吸気口７３およびフィルタ７２を経由した外気は、内部空間５１に導入される前にさらに筐体部流路５２を経由することになる。これにより、吸気口に計量装置１外部のチリ、ホコリ、計測対象である商品に起因した汚れ、および天ぷらやフライ等の揚げ物を調理する際に発生するオイルミスト（油煙）等が内部空間５１に進入することをさらに防止できる。
【００５９】
また、吸気口７３と吸気ファン７１とは筐体部流路５２によって分離されているため、計量装置１の内部空間５１に配置される各要素の配置の自由度を向上させることができる。その結果、内部空間５１を効率的に利用した設計をすることが可能となる。なお、本実施の形態において、吸気口７３は計量装置１の底部に設けられているが、これに限定されるものでなく、上面板５０ｅでなければ、計量装置１の側面部（例えば、側面板５０ａ、５０ｄ）であってもよい。
【００６０】
電源部６０は、制御部４０や吸気ファン７１、排気ファン７５等に電源を供給する要素である。図３および図４に示すように、電源部６０は、計量装置１の内部空間５１であって、ＣＰＵ４１およびグラフィックチップ４５の配置される部分を挟んで吸気ファン７１の取り付けられている部分と逆側に設けられている。すなわち、電源部６０は、客側ディスプレイ２５と隣接して設けられる。また、図３および図４に示すように、電源部６０は、種々の素子６１から構成されており、各素子６１は制御基板４８と略垂直な向きに配設される電源基板６８に取り付けられている。
【００６１】
また、図４の電源部筐体６５の側面のうち、吸気ファン７１、ＣＰＵ４１、およびグラフィックチップ４５を結ぶ仮想直線と交わる部分には、内部空間５１と電源部６０の内側空間６６とを連通させる開口部６３が設けられている。これにより、吸気ファン７１によって内部空間５１に導入される冷却外気は、開口部６３を介して電源部６０の内側空間６６に供給される。
【００６２】
排気ファン７５は、筐体５０の左側面板５０ａに組み込まれており、電源部筐体６５によって囲まれた電源部６０の内側空間６６と連通して設けられている。そのため、排気ファン７５を回転させることによって内側空間６６の雰囲気を外部に排気することができる。その結果、電源部６０の動作によって各素子６１から発生する熱は、吸気ファン７１から供給される冷却外気とともに排気ファン７５によって外部に排出することができる。
【００６３】
ここで、本実施の形態において、吸気ファン７１から内部空間５１に導入される外気の単位時間当りの吸気量は、排気ファン７５から計量装置１の外部に排気される排気量より大きくなるように吸気ファン７１および排気ファン７５が設定されている。
【００６４】
これにより、内部空間５１の圧力は大気圧と比較して正圧（陽圧）となり、計量装置１の外部と内部空間５１とを連通する穴や隙間（例えば、ラベル発行口３１や開口部１８）から計量装置１の外部に内部空間５１の雰囲気が排気されることがあっても、当該穴を介して内部空間５１に向けて外気が導入されることがない。
【００６５】
そのため、外気によって計量ユニット１０のロードセル１１が局部的に冷却されることがなく、ロードセル１１上の温度分布をさらに均一に保持することができる。その結果、計量皿１５に載置される商品の重量の計量をさらに繰り返し再現性良く行うことができる。また、計量装置１外部のチリやホコリが内部空間５１に進入することがないため、計量装置１の内部空間５１およびを清浄に保つことができる。さらに、内部空間５１と同様にロードセル１１の配置される空間５３の圧力は大気圧と比較して正圧となる。これにより、当該空間５３内のロードセル１１付近に暖気が滞留した場合であっても、開口部１８を通じて外部に当該暖気を排気することができる。そのため、ロードセル１１上の各部分（例えば歪みゲージ１１ｄ）における温度分布をさらに均一に保持することができ、商品の重量をさらに良好に計量することができる。
【００６６】
＜３．計量装置内部の冷却外気の流れ＞
計量装置１の内部空間５１には、ＣＰＵ４１、グラフィックチップ４５、モータ３５、電源部６０の各素子６１のように動作にともなって熱を発生する発熱体が配置されている。一方、ロードセル１１に貼付された歪みゲージ１１ｄは、ロードセル１１の配置される雰囲気の温度変化によって検出される電気量（電気抵抗値）が変化するという特性を有する。そして、温度変化によって検出される電気量（電気抵抗値）が変動すると、計量される商品の重量値が変動するといった問題が生ずる。
【００６７】
したがって、従来より、当該発熱体からの熱によって内部空間５１の温度が上昇することを防止するため、（１）本実施の形態の吸気ファン７１に相当するファンによって発熱体を冷却したり、（２）排気ファン７５に相当するファンによって装置内部の温度上昇した雰囲気を外部に排気することにより、装置内部の雰囲気温度を低下させる手段が講じられていた。
【００６８】
しかし、歪みゲージ１１ｄは、温度上昇だけでなく、歪みゲージ１１ｄの温度低下によっても検出される電気量（電気抵抗値）が変化し、計量される商品の重量値が変動するという問題が生ずる。
【００６９】
そこで、本実施の形態では、ロードセル１１付近の雰囲気を恒温状態として、ロードセル１１上の温度分布を略同一に保持するため、吸気ファン７１から排気ファン７５に向けて一定経路を流れる冷却外気の流通路（以下、「外気流通路」とも呼ぶ）５５を形成するとともに、外気流通路５５の上方にロードセル（計量部）１１を配置することにより、外気流通路５５とロードセル１１とを隔離して配設する。
【００７０】
すなわち、吸気ファン７１から内部空間５１に供給される冷却外気は、ガイド部材５４および電源部６０の内側空間６６によって一定経路に案内され、内側空間６６と連通する排気ファン７５によって計量装置１の外部に排気される。また、ＣＰＵ４１のヒートシンク４１ａ、グラフィックチップ４５のヒートシンク４５ａ、モータ３５、および電源部６０の素子６１のような発熱体は、外気流通路５５付近に配設されており、当該発熱体からの熱は冷却外気とともに外気流通路５５に沿って吸気ファン７１から排気ファン７５に向かって搬送される。このように、本実施の形態において、ガイド部材５４および電源部６０の内側空間６６は、冷却外気の案内部として使用される。
【００７１】
一方、上述のように、ロードセル１１は、外気流通路５５と隔離されており、外気流通路５５を流れる冷却外気とロードセル１１とが直接接触することを抑制できる。これにより、冷却外気によってロードセル１１の一部が局部的に冷却されることも、発熱体からの熱によって局部的に熱せられることもない。
【００７２】
そのため、発熱体からの熱や冷却外気の影響を受けず、ロードセル１１上の温度分布をほぼ一定に保持することができる。その結果、商品の重量値と歪みゲージ１１ｄからの電気量との対応関係を略同一に保持することができ、商品の重量を繰り返し再現性良く計量することができる。
【００７３】
また、ロードセル１１は、取付部材１２および上面板５０ｅによって覆われており、ロードセル１１の配置される空間５３は、計量装置１の内部空間５１と隔離されている。これにより、外気流通路５５を流れる冷却外気とロードセル１１とが接触することをさらに抑制することができる。そのため、外気流通路５５を流れる冷却外気が回り込んだ場合であってもロードセル１１の配置される空間５３に流入して冷却されることがない。その結果、ロードセル１１上の温度分布をさらに均一に維持することができる。
【００７４】
＜４．本実施の形態の計量装置の利点＞
以上のように、本実施の形態の計量装置１において、ＣＰＵ４１、グラフィックチップ４５およびモータ３５は吸気ファン７１から供給される冷却外気によって直接冷却される。また、ＣＰＵ４１、グラフィックチップ４５、モータ３５、および電源部６０の素子６１等の発熱体からの熱は外気流通路５５の冷却外気の流れとともに、計量装置１の外部に排気される。一方、空間５３に配置されたロードセル１１は、外気流通路５５と隔離されて配設されるており、冷却外気と直接接触することがない。
【００７５】
これにより、ロードセル１１は発熱体からの熱により熱せられことがなく、また、冷却外気により冷却されることもない。そのため、ロードセル１１上の温度分布をほぼ一定に保持することができる。その結果、商品の重量と歪みゲージ１１ｄからの電気量との関係を略同一に保持することができ、商品の重量を繰り返し再現性良く計量することができる。
【００７６】
＜５．変形例＞
以上、本発明の実施の形態について説明したが、この発明は上記の例に限定されるものではない。
【００７７】
（１）本実施の形態において、フィルタ７２は仕切空間５２の開口部（吸気口）７３に設けられているが、これに限定されるものでなく、例えば、ファンとフィルタとが一体的に構成されたものを吸気ファン７１として設けてもよい。この場合も、計量装置１外部のチリやホコリはファンと一体的に設けられたフィルタによって内部空間５１に流入することを防止できる。
【００７８】
（２）また、本実施の形態では、ロードセル（計量部）１１を外気流通路５５の上方に設けることにより、ロードセル１１と外気流通路５５とを隔離して配設しているが、これに限定されるものでなく、例えば、ロードセル１１を外気流通路５５の側方に隔離して配設してもよい。
【図面の簡単な説明】
【００７９】
【図１】本発明の実施の形態における計量装置を店員側から見た斜視図である。
【図２】本発明の実施の形態における計量装置を客側からみた斜視図である。
【図３】計量装置内部の上面図である。
【図４】図３の計量装置をＶ−Ｖ線から見た断面図である。
【図５】本実施の形態の計量装置の制御部の概略構成を示す機能ブロック図である。
【符号の説明】
【００８０】
１    計量装置
１１  ロードセル
１２  取付部材
１８  開口部
２２  店員側ディスプレイ
２５  客側ディスプレイ
３０  ラベル発行部
３１  ラベル発行口
３５  モータ
４０  制御部
５０  筐体
５１  内部空間
５２  仕切空間
５５  外気流通路
６０  電源部
６５  電源部筐体
７１  吸気ファン
７２  フィルタ
７５  排気ファン
【図１】
2005241429.tif 000003
【図２】
2005241429.tif 000004
【図３】
2005241429.tif 000005
【図４】
2005241429.tif 000006
【図５】
2005241429.tif 000007